(57)【要約】【課題】  使用時には簡単な操作でベッド面に連続して大きなガイド面を形成することができるとともに、不使用時にはコンパクトで優れた外観を呈するとともに占有スペースが小さく保管しやすいミシンを提供すること。【解決手段】  前面側に回動可能に取り付けられた前面フラップを備えたミシンであって、前面フラップは、ベッド面の高さ付近を回転軸として開閉し、閉じた状態では、ミシン本体に係止してミシン本体と一体化する外面を備え、開いた状態では、ベッド面と同一の高さから緩やかに傾斜下降し縫製対象物の送りをガイドするガイド面を形成した内面を備えていることを特徴とする。【選択図】  図１
2013183970.tif 000002
【特許請求の範囲】
【請求項１】
針と共働して縫目を形成する釜を収納して上部に縫製対象物を支持するベッド面が形成されたベッド部と、ベッド部から立設された脚柱部と、脚柱部からベッド部上方に開口部を隔てて水平方向に延びたアーム部とからなるミシン本体と、ミシン本体の縫製作業を行う側である前面側に回動可能に取り付けられた前面フラップとを備えたミシンであって、
前面フラップは、ベッド面の高さ付近を回転軸として開閉し、閉じた状態では、ミシン本体に係止してミシン本体と一体化する外面を備え、開いた状態では、ベッド面と同一の高さから緩やかに傾斜下降する縫製対象物の送りをガイドするガイド面を形成する内面を備えていることを特徴とするミシン。
【請求項２】
前面フラップの外面とガイド面を形成する内面との間の空間に、付属品を収納するトレイをガイド面と平行な方向に引き出し可能に装着したことを特徴とする請求項１記載のミシン。
【請求項３】
開いた状態で前面フラップの内面に形成されるガイド面が、ベッド面と同一の高さに形成され縫製対象物の送り方向に所定幅を有する平面部を備えていることを特徴とする請求項１または２記載のミシン。
【請求項４】
ミシン本体に対して回動することで開閉し、閉じた状態では、ミシン本体の後面を覆う背面フラップと、ミシン本体の脚柱部と反対側の側面を覆う側面フラップとをさらに有し、
前面、背面および側面の各フラップは、すべて閉じられた状態では、少なくともベッド部とアーム部の間の開口部を覆い、ガイド面を形成する前面フラップの内面は前記開口部に突出するように収容され、且つ外面がミシン本体と一体となってケース状の外周面を形成することを特徴とする請求項１〜３のいずれかに記載のミシン。
【発明の詳細な説明】
【技術分野】
【０００１】
本発明は、ベッド面に連続して縫製対象物の送りをガイドするガイド面を備えたミシンに関し、とくに、使用時には簡単な操作でガイド面を形成することができるとともに、不使用時にはコンパクトで優れた外観を呈するミシンに関するものである。
【背景技術】
【０００２】
近年、家庭用ミシンとして、筒縫いができる筒形のフリ−アーム式ベッド部を有するミシンが使用されている。
このような筒形のフリ−アーム式ベッド部は、筒縫いをするには便利であるが、大きめの布を操作して縫製作業を行う場合には、縫い方向の幅が短いベッド面だけでは布操作が行いにくいという問題があり、このような問題を解決するため、筒形ベッド部に着脱自在に設けられた付属品箱を取り外した上で、ミシンカバーの一部を筒形ベッド部に取り付けて補助テーブルとし、ベッド面から連続して縫製対象物の送りをガイドするガイド面を形成したミシンが従来知られている（例えば、特許文献１参照）。
【先行技術文献】
【特許文献】
【０００３】
【特許文献１】特開平１０−２０１９８１号公報
【発明の概要】
【発明が解決しようとする課題】
【０００４】
このようなミシンは、補助テーブルのガイド面によって大きい布を容易に操作することができ、フリ−アーム式ベッド部のベッド面の幅が短いという前記問題点を解決することができる。
しかしながら、上記特許文献１記載のミシンは、当該ガイド面を形成するためには、フロントカバー１２を上端部のヒンジ機構によって係留されているリヤカバー１１から取り外し、下方アーム３から付属品箱２０を取り外した上で、フロントカバー１２から蓋部材１５を取り去り、凹部１６を下方アーム３に嵌合して、爪１９をミシン本体の嵌合孔１ｂに係合するという、極めて面倒な作業を行わなければならないという問題があった。
【０００５】
また、付属品箱２０に収納されている付属品を出し入れするためには、付属品箱２０を下方アーム３から取り外さなければならないため、極めて面倒であるとともに、取り外した付属品箱２０を紛失してしまうこともあった。
このため、図６〜８に示されるように、ベッド面１００ａに接して、補助テーブルを兼ねるように大きめの付属品箱２００を筒形ベッド部１００に着脱自在に取り付け、その前面側を開閉可能な蓋部材２０１として、付属品の出し入れを容易にしたものも提案されている。
【０００６】
しかしながら、このように開閉する蓋部材２０１を設けたものでも、図８に示すように、縫製作業中に付属品を取り出そうとすると、付属品箱２００が縫製中の布Ｎの下部にあるため、布Ｎを動かして蓋部材２０１を開けなくてはならなかったり、逆に蓋部材２０１を閉めるときには、布Ｎを挟み込んでしまったりすることがあり、扱いづらく効率が悪いという問題があった。
また、補助テーブルを兼ねる大きな付属品箱２００をベッド部１００に取り付けてミシンを保管するので、ベッド部１００全体の縫い方向の幅が大きくなり、ミシンの保管スペースが大きくなってしまうという問題もあった。
【０００７】
本発明は、上記問題を解決することを課題とし、使用時には簡単な操作でベッド面に連続して大きなガイド面を形成することができるとともに、不使用時にはコンパクトで優れた外観を呈するとともに占有スペースが小さく保管しやすいミシンを提供することを目的とする。
【課題を解決するための手段】
【０００８】
本発明は、上記の課題を解決するため、ミシンとして、針と共働して縫目を形成する釜を収納して上部に縫製対象物を支持するベッド面が形成されたベッド部と、ベッド部から立設された脚柱部と、脚柱部からベッド部上方に開口部を隔てて水平方向に延びたアーム部とからなるミシン本体と、ミシン本体の縫製作業を行う側である前面側に回動可能に取り付けられた前面フラップとを備えたミシンであって、前面フラップは、ベッド面の高さ付近を回転軸として開閉し、閉じた状態では、ミシン本体に係止してミシン本体と一体化する外面を備え、開いた状態では、ベッド面と同一の高さから緩やかに傾斜下降する縫製対象物の送りをガイドするガイド面を形成する内面を備えていることを特徴とする構成を採用する。
【０００９】
本発明のミシンの実施形態として、前面フラップの外面とガイド面を形成する内面との間の空間に、付属品を収納するトレイをガイド面と平行な方向に引き出し可能に装着したことを特徴とする構成、また、開いた状態で前面フラップの内面に形成されるガイド面が、ベッド面と同一の高さに形成され縫製対象物の送り方向に所定幅を有する平面部を備えていることを特徴とする構成、さらに、ミシン本体に対して回動することで開閉し、閉じた状態では、ミシン本体の後面を覆う背面フラップと、ミシン本体の脚柱部と反対側の側面を覆う側面フラップとをさらに有し、前面、背面および側面の各フラップは、すべて閉じられた状態では、少なくともベッド部とアーム部の間の開口部を覆い、ガイド面を形成する前面フラップの内面は前記開口部に突出するように収容され、且つ外面がミシン本体と一体となってケース状の外周面を形成することを特徴とする構成を採用する。
【発明の効果】
【００１０】
本発明のミシンは、ミシン本体に前面フラップを回動可能に取り付け、前面フラップは、閉じた状態でミシン本体に係止しミシン本体と一体化する外面と、開いた状態でベッド面と同一の高さから緩やかに傾斜下降するガイド面を形成する内面とを備えているから、使用時には、ミシン本体との係止を解除して外側に回転するだけで縫製対象物の送りをガイドするガイド面を形成することができ、作業開始のための準備を簡単かつ効率的に行うことができる。
また、不使用時には、前面フラップをミシン本体に係止して、ミシン本体と一体化した外面を形成できるので、優れた外観を呈するとともに占有スペースの小さいコンパクトなミシンとすることができる。
【００１１】
前面フラップの外面とガイド面を形成する内面との間の空間に、付属品を収納するトレイをガイド面と平行な方向に引き出し可能に装着した実施形態では、縫製作業中でも、布を動かすことなく付属品を収納するトレイを引き出して付属品を取り出すことができるとともに、付属品を収納するトレイをミシン本体に取り付けられた前面フラップに装着したから、紛失するようなこともない。
また、ミシン本体の後面を覆う背面フラップと、ミシン本体の脚柱部と反対側の側面を覆う側面フラップとをさらに有し、各フラップがすべて閉じられた状態では、ミシン本体と一体となってケース状の外周面を形成する実施形態では、前面フラップは他のフラップとともにミシンカバーとしての機能を有し、ミシン本体へのゴミやほこりの侵入を防ぐとともに、コンパクトで優れた外観を得ることができる。
【図面の簡単な説明】
【００１２】
【図１】本発明の実施例であるミシンの各フラップを開いた作業開始時の状態を示す斜視図である。
【図２】実施例ミシンの各フラップを閉じて全体がケース状となった状態を示す斜視図である。
【図３】図２の実施例ミシンを脚柱部の反対側からみた側面図であり、側面フラップおよび補助床部の側面部分を外して示している。
【図４】実施例ミシンの各フラップを開いて付属品収納トレイを引き出した状態を示す斜視図である。
【図５】実施例ミシンの作業中に付属品収納トレイを引き出した状態を示す斜視図である。
【図６】ベッド部に付属品箱を取り付けた従来例のミシンの斜視図である。
【図７】従来例ミシンの付属品箱の開閉蓋を開いた状態を示す斜視図である。
【図８】従来例ミシンの作業時に、付属品箱の開閉蓋を開いた状態を示す斜視図である。
【発明を実施するための形態】
【００１３】
次に、本発明のミシンについて、実施例を示した図面を参照して説明する。
【実施例】
【００１４】
図１〜５において、Ｍはミシン本体であり、ミシン本体Ｍは、上部にベッド面１ａを有するベッド部１と、ミシン本体Ｍの作業を行う側である前面から見て、ベッド部１の右側から立ち上がって上部にアーム部３を連設する脚柱部２からなる。
アーム部３は、ベッド部１の上方に開口部Ｓを隔てて水平方向に延びており、その上部には、後述する係止機構を収納するルーフ部４が一体に取り付けられている。
５は、ミシン本体Ｍに枢着された把手であり、６は係止機構を操作するスイッチ、７は針棒、８は針板である。
【００１５】
ミシン本体Ｍのベッド部１の回りには、上端がベッド面１ａと一致する補助床部１０が一体に取り付けられており、その上端付近に設けられた、図示しないフラップ回転軸には、ミシン本体Ｍの前面、後面および脚柱部２の反対側の側面に、それぞれ前面フラップ１１、背面フラップ１２および側面フラップ１３が、ヒンジ１４によって回動可能に取り付けられている。
なお、本実施例では、各フラップ１１，１２，１３は、ベッド部１に一体に取り付けられた補助床部１０のフラップ回転軸に取り付けられているが、ベッド部１にフラップ回転軸を設けてベッド部に直接取り付けられてもよい。
【００１６】
図２に示すように、各フラップ１１，１２，１３は、ミシン本体Ｍの開口部Ｓを覆うように閉じられ、上辺付近でルーフ部４の係止機構により作動される図示しない係止手段に係止されて閉状態を保持する。
当該閉状態では、各フラップ１１，１２，１３は、その外面とミシン本体Ｍとで全体がケース状の外周面を形成し、開口部Ｓにゴミやほこりの侵入を防ぐカバーとしての役割を果たす。
【００１７】
図１に示すように、各フラップ１１，１２，１３が、フラップ回転軸回りに回転してそれぞれの面の外側に開いた開状態になると、前面フラップ１１の内面に形成されたガイド面Ｗがベッド面１ａに隣接して配置されるようになり、ベッド面１ａと同一の高さから緩やかに傾斜下降する作業補助面を形成する。
ガイド面Ｗは、ベッド面１ａに隣接して縫製対象物を送る方向の所定幅を有する、ベッド面１ａと同一の高さで平坦に形成された平面部と、その平面部から緩やかに傾斜下降する傾斜面とからなるように形成されてもよい。
ヒンジ１４は、図示しないダンパーを介してフラップ回転軸に取り付けられており、各フラップ１１，１２，１３が開状態に向けて回転するとき、重力によって各フラップ１１，１２，１３の回転が加速されるのを抑制して、開状態で停止するときの衝撃や騒音を緩和するようになっている。
【００１８】
図３に示すように、ガイド面Ｗを形成する前面フラップ１１の内面は、閉状態で、ミシン本体Ｍの開口部Ｓに収容されるように内方に突出し、開口部Ｓのスペースを有効に使って、保管時のミシンをコンパクトで占有スペースの小さなものにしている。
そして、図３〜５に示すように、前面フラップ１１の外面とガイド面Ｗを形成する内面との間にできる空間Ｐに付属品収納トレイ１５を装着したので、保管時のミシンはさらにコンパクトで占有スペースの小さなものになっている。
【００１９】
付属品収納トレイ１５は、空間Ｐに収容された状態から、前面フラップ１１に沿ってガイド面Ｗに平行に引き出すことができ、脚柱部２付近のミシン前面に配置されて上部が開放された付属品収納トレイ１５から付属品を取り出すことができる。
このように、付属品収納トレイ１５がガイド面Ｗに交差しない平行な方向に引き出し可能に装着されているので、図５に示されるように、縫製作業中であっても、布を動かしたりすることなく付属品を出し入れすることができ、取り扱いが便利であるとともに作業を効率的に進めることができる。
【００２０】
次に、本実施例の使用態様と作用効果について説明する。
まず、各フラップ１１，１２，１３を開放して、ミシンの作業を開始する手順について説明する。
図２の閉状態のミシンのスイッチ６を開方向に操作すると、ルーフ部４内に収納されている係止機構によって係止手段が作動し、ミシン本体Ｍに係止していた各フラップ１１，１２，１３との係合が解除され、各フラップ１１，１２，１３をフラップ回転軸回りに開放方向外側へ回転させることができるようになる。
各フラップ１１，１２，１３は、すべてが係止手段によってミシン本体Ｍに係止されている必要はなく、１または２のフラップのみが係止手段に係止され、他のフラップは当該係止手段によってミシン本体Ｍに係止されたフラップに係止されてもよい。
【００２１】
各フラップ１１，１２，１３が外側に回転していく際、各フラップ１１，１２，１３のヒンジ１４は、ダンパを介してフラップ回転軸に取り付けられているので、各フラップ１１，１２，１３から手を離しても、各フラップ１１，１２，１３の回転が重力によって加速されるのを抑制して、開状態で停止するときの衝撃や騒音を緩和することができる。
【００２２】
各フラップ１１，１２，１３が開放されると、図１のように、覆われていた開口部Ｓが露出し、針棒７や針板８，ベッド面１ａなどのミシン本体Ｍの作業領域が現出する。
同時に、前面フラップ１１の内面に形成されたガイド面Ｗも露出し、開状態では、ガイド面Ｗはベッド面１ａに隣接して配置されるようになり、ベッド面１ａと同一の高さから緩やかに傾斜下降する作業補助面を形成するようになる。
また、ガイド面Ｗは、前記のように、ベッド面１ａに隣接してベッド面１ａと同一の高さに形成された平面部を備えるようにしてもよく、当該平面部はベッド面１ａを広くする作業補助面をも形成するので、このようなガイド面Ｗは、ベッド面１ａの幅が小さいミシンにはより適したものとなる。
このようにガイド面Ｗが配置されることによって、ベッド部が筒形のフリーアーム式ミシンのようにベッド面１ａの幅が小さいミシンや、フラットベッド式ミシンであってもベッド面１ａが小さいミシンの場合には、ガイド面Ｗにより作業面を広げることができ、布Ｎの操作を容易に行うことができる。
【００２３】
そして、本実施例では、各フラップ１１，１２，１３とミシン本体Ｍとの係止を解除して回転させるだけで速やかに作業を開始することができ、面倒な準備作業なしに、極めて簡単、かつ効率的に作業を開始することができる。
また、前面フラップ１１の外面とガイド面Ｗを形成する内面との間にできる空間Ｐには、付属品収納トレイ１５がガイド面Ｗに平行に引き出可能に装着されているので、図５のように、縫製作業中でも付属品収納トレイ１５を引き出して、縫製中の布Ｎから離れた脚柱部２の前面付近に位置させ、付属品収納トレイ１５の開放された上方から付属品を出し入れすることができる。
【００２４】
次に、縫製作業を終え、各フラップ１１，１２，１３を閉じて、ミシンを閉状態とする手順について説明する。
各フラップ１１，１２，１３は、補助床部１０上端付近のフラップ回転軸回りに回転され、上辺付近をルーフ部４に設けられた係止手段に係止される。
その際、すべてのフラップを係止手段に係止する必要はなく、フラップ相互を係止する手段と組み合わせてもよいことは前述したとおりである。
【００２５】
図２，３のように、すべてのフラップが係止されてミシンが閉状態になると、各フラップ１１，１２，１３の外面は、ミシン本体と一体となってケース状の外周面を形成するから、開口部へのゴミやほこりの侵入を防ぎ、コンパクトで優れた外観を得ることができるので保管が容易である。
しかも、前面フラップ１１のガイド面Ｗを形成する突出した内面は、ミシン本体Ｍの開口部Ｓ内に収容され、付属品収納ケース１５は、前面フラップ１１の外面とガイド面Ｗを形成する内面との間の空間Ｐに収容するようにしたから、ミシンの占有スペースを大きくすることがなく、ミシンのさらなるコンパクト化に貢献するとともに、ミシン本体Ｍから取り外すことがないので紛失するような心配がない。
【００２６】
本実施例では、前面フラップ１１が、背面フラップ１２，側面フラップ１３とともに、少なくとも開口部Ｓを覆ってミシンカバーの役割をも果たしているが、本発明のミシンは、背面フラップ１２，側面フラップ１３は必ずしも必要ではなく、ガイド面Ｗを形成するための前面フラップ１１のみを設けたものでもよい。
また、本実施例では、各フラップ１１，１２，１３は、係止機構によりスイッチ６と接続された係止手段によってミシン本体Ｍに係止されているが、本発明において、各フラップ１１，１２，１３をどのようにミシン本体Ｍに係止するかは、このような本実施例に限定されない。
【産業上の利用可能性】
【００２７】
本発明のミシンは、使用時には簡単な操作でベッド面に連続した大きなガイド面を形成することができ、不使用時にはコンパクトで外観に優れ、保管が容易であるため、各種ミシンに広く使用することができるが、とくに、フリ−アーム式の家庭用ミシンに使用して好適である。
【符号の説明】
【００２８】
Ｍ            ミシン
Ｓ            開口部
Ｗ            ガイド面
Ｐ            空間
Ｎ            布
１            ベッド部
１ａ          ベッド面
２            脚柱部
３            アーム部
４            ルーフ部
５            把手
６            スイッチ
７            針棒
８            針板
１０            補助床部
１１            前面フラップ
１２            背面フラップ
１３            側面フラップ
１４            ヒンジ
１５            付属品収納ケース
【図１】
2013183970.tif 000003
【図２】
2013183970.tif 000004
【図３】
2013183970.tif 000005
【図４】
2013183970.tif 000006
【図５】
2013183970.tif 000007
【図６】
2013183970.tif 000008
【図７】
2013183970.tif 000009
【図８】
2013183970.tif 000010